(57)【特許請求の範囲】
【請求項１】
手書きで書き込み・消去できる筆記面を有するスクリーンシートを搬送するシート搬送部と、該スクリーンシートの筆記面に書き込まれた画情報を読み取る読取部と、その読み取りに係る情報を用紙に記録する記録部と、これらシート搬送部、読取部、および記録部を制御する制御部とを有する電子黒板装置において、前記制御部は、２つのキーが同時に押されたとき前記記録部の記録動作を中止させるとともに、追加コピーモード中に２つのキーが同時に押されたときは前記記録部による追加コピー動作を許容することを特徴とする、電子黒板装置。
【請求項２】
前記制御部は、２つのキーが同時に押されたとき前記シート搬送部によるシート搬送動作も停止させることを特徴とする、請求項１に記載の電子黒板装置。
【請求項３】
２つのキーは、コピーモードキーと枚数設定キーである、請求項１、または２に記載の電子黒板装置。
【発明の詳細な説明】
【０００１】
【発明の属する技術分野】
この発明は、手書きで書き込み・消去できる筆記面を有するスクリーンシートを搬送して画情報を読み取り、用紙に記録する電子黒板装置に関する。
【０００２】
【従来の技術】
従来の電子黒板装置では、プリンタによる記録動作を中止する場合、１つのキー操作により記録中止を実行していた。
【０００３】
【発明が解決しようとする課題】
このため、ユーザが誤ってその１つのキーに触れた場合でも記録動作が中断されてしまい、必要な情報がプリントアウトされず、ミスコピーとして処理されるために、時間的にもロスが生じて、用紙も再び必要となり、非常に効率が悪かった。
【０００４】
そこで、この発明の第１の目的は、ユーザが誤って１つのキーに触れた場合でも、記録動作が中断されることなくプリントアウトでき、ユーザが希望するときだけ記録動作を中断することができて、時間的ロスおよび用紙の無駄な消費を抑えることができるようにすることにある。
【０００５】
第２の目的は、追加コピーモード中に記録中止の操作をしたときは、追加コピー動作の再開だけ可能とすることで、画情報を再び読み込む時間を省き、ユーザの利便性を高めることにある。
【０００６】
【課題を解決するための手段】
この発明は、シート搬送部、読取部、および記録部を制御する制御部に、２つのキーが同時に押されたとき記録部の記録動作を中止させるとともに、追加コピーモード中に２つのキーが同時に押されたときは前記記録部による追加コピー動作を許容することを特徴とする。
【０００７】
制御部は、２つのキーが同時に押されたときシート搬送部によるシート搬送動作も停止させる。
【０００８】
記録動作を中止させる２つのキーとしては、たとえばコピーモードキーと枚数設定キーである。
【００１０】
【発明の実施の形態】
次に、この発明の実施の形態を図面に基づいて説明する。
【００１１】
図１はこの発明による電子黒板装置の正面図、図２はスクリーンシートの筆記面が２面の場合の断面図、図３は４面の場合の断面図である。
【００１２】
図１において、黒板本体１には、スクリーンシート２の筆記面を１面ずつ露呈させる開口部３が設けられ、この開口部３に対する一側に操作部４が設けられている。
【００１３】
図２において、開口部３の内側にはスクリーンボード５が設置されており、スクリーンシート２は、開口部３においては、このスクリーンボード５の前面に沿って搬送される。スクリーンシート２は、黒板本体１内において、スクリーンボード５の両端に配置された駆動ローラ６と従動ローラ７とに掛け回されている。図示していないが、従動ローラ７に対してはシートテンション機構、駆動ローラ６に対しては駆動源であるシート搬送用モータが配置されている。
【００１４】
また、スクリーンボード５の裏側には、スクリーンシート２の筆記面の画情報を読み取る、光学系である光源（蛍光灯）８、ミラー９、およびレンズ１０と、光／電気変換器であるＣＣＤ１１とからなる読取部１２が配置されている。この他、図示していないが黒板本体１内には、読取部１２の読取情報を用紙に記録する記録部であるプリンタや電源部などが配置されている。
【００１５】
操作部４のキー操作により、スクリーンシート２は図２において矢印ａ方向へと搬送され、その搬送中にスクリーンシート２上の画情報は、読取部１２で電気信号として読み取られ、ＣＰＵで処理されてプリンタにより用紙に記録される。
【００１６】
図３においては、スクリーンシート２の筆記面を４面とするために、図２の構造に対してスクリーンシート２を案内する従動ローラ１３・１４が追加されている。
【００１７】
図４に、電気的な概要構成を示す。制御部であるＣＰＵ１５は、ＲＯＭ（リードオンリーメモリ）１６に記憶されているプログラムにしたがい全体を制御する。ＣＰＵ１５は、読取部１２で読み取られてゲートアレイ１７によりデジタル化された読取データを処理して、ＲＡＭ（ランダムアクセスメモリ）１８に格納し、プリンタ１９にて用紙に記録する。
【００１８】
また、ＣＰＵ１５は、後述する２つのキーの同時操作による記録動作中止の入力があったときは、プリンタ１９のプリント動作を中止させるとともに、シート搬送部によるシート搬送動作を停止させる機能を有する。
【００１９】
さらに、ＣＰＵ１５は、追加コピーモード中に２つのキーの同時操作による記録動作中止の入力があったときは、プリンタ１９による追加コピー動作を許容する機能も有している。
【００２０】
図５は、操作部４の一例を示す。操作部４には、コピースタートキー２０とシート送りキー２１とシート戻しキー２２とコピーモードキー２３と枚数設定キー２４とが配設されている。
【００２１】
次に、動作の流れについて説明する。
図６は、プリンタ１９によるプリント動作のメイン処理に関するフローチャートである。プリント開始になった時点で印字動作の初期化を行う（ステップＳ１）。初期化が終了すると、１ライン毎のデータをチェックする（ステップＳ２）。１ライン中に画像データがない場合には何も処理しない。画像データが存在する場合には、ラインフィードの有無を判断しながら（ステップＳ３）、現在のライン以前の画像データが存在しないライン数分だけ用紙のフイード処理を行う（ステップＳ４）。
【００２２】
次に、画像データを格納しているＲＡＭ１８よりデータを読み出す処理を行い（ステップＳ５）、プリンタ１９に合ったプリントデータに変換し、プリンタ１９のバッファメモリ（図示せず）へと出力する（ステップＳ６）。プリンタ１９ヘの出力が終わると、１行分の改行処理を行う（ステップＳ７）。
【００２３】
１ライン分の処理が終了し、全プリントラインが終了したかチェックを行い（ステップＳ８）、終了しているとプリント終了処理を行ってプリント動作を終了する（ステップＳ９）。全プリントラインが終了していないと、再び１ラインのデータチェック（ステップＳ２）ヘと処理が続く。
【００２４】
プリント強制終了モードになつた場合は、全プリントラインが終了したかのチェックにおいて、必要ライン数カウンタに最大ライン数がセットされた時点で強制的に全プリントラインが終了したものと、判断をしてプリント終了処理を行い、プリント動作を終了する。
【００２５】
図７は、プリント中のキー入力に対する割り込みのフローチャートである。キー入力の有無をチェックし（ステップＳ１１）、コピースタートキー２０が押下されたときコピー動作を開始する。この場合の動作は、前記の通りである。
【００２６】
プリント中（コピー中）であるかどうか判断し（ステップＳ１２）、プリント中に、図示していない濃度キー、クリーニングキー、カラーモードキー等が押下されると、そのキー押下がこの割込みルーチンにおいてチェックされる。プリント動作を行なっていないときには、通常キー入力処理（ステップＳ１３）がメインルーチンで行われる。プリント中は、後述するプリント中止キー以外の全てのキー入力に対して何も行なわずにリターンする。
【００２７】
プリント中止キー、つまりコピーモードキー２３と枚数設定キー２４とが同時に押下されたかどうかチェックし（ステップＳ１４）、これら２つのキーが同時に押下されたときには、追加コピーモードであるかどうかチェックし（ステップＳ１５）、追加コピーモードでなければプリント停止処理を実行する（ステップＳ１６）。すなわち、プリント強制中止モードに移行して、プリンタ１９のプリント動作を中止させるとともに、シート搬送部によるシート搬送動作を停止させる。この場合、図２または図３における矢印ａ方向の必要ライン数分に見合うだけカウンタに最大ライン数をセットする。
【００２８】
また、追加コピーモードの場合は、プリンタ１９による追加コピー動作が行えるようにする一方（ステップＳ１７）、その他のプリントモードの場合は、追加コピーを行えないようにして、リターンする。
【００２９】
【発明の効果】
この発明によれば、２つのキーが同時に押されたときに記録部の記録動作を中止させるので、ユーザが誤って１つのキーに触れた場合でも、記録動作が中断されることなくプリントアウトでき、ユーザが希望するときだけ記録動作を中断することができて、時間的ロスおよび用紙の無駄な消費を抑えることができる。
【００３０】
また、追加コピーモード中に記録中止の操作をしたときは、追加コピー動作だけ可能とするので、画情報を再び読み込む時間を省き、ユーザの利便性を高めることができる。
【図面の簡単な説明】
【図１】この発明による電子黒板装置の正面図である。
【図２】スクリーンシートの筆記面が２面の場合の断面図である。
【図３】スクリーンシートの筆記面が４面の場合の断面図である。
【図４】電気的な概要構成を示すブロック図である。
【図５】操作部に配置されたキーの一例を示す図である。
【図６】プリンタによるプリント動作のメイン処理に関するフローチャートである。
【図７】プリント中のキー入力に対する割り込みのフローチャートである。
【符号の説明】
２    スクリーンシート
４    操作部
１２    読取部
１５    ＣＰＵ（制御部）
１９    プリンタ（記録部）
２３    コピーモードキー
２４    枚数設定キー
【図１】
0004330043.tif 000002
【図２】
0004330043.tif 000003
【図３】
0004330043.tif 000004
【図４】
0004330043.tif 000005
【図５】
0004330043.tif 000006
【図６】
0004330043.tif 000007
【図７】
0004330043.tif 000008